(57)【要約】【課題】本発明は、頻繁に変化するユーザ指定機能に速くアクセスするための専用スイッチを有するデジタル情報／画像形成システムを提供する。【解決手段】前記表示装置にユーザ選択可能オプションのメニューを表示するための手段と、前記表示されたユーザ選択可能オプションの表示されたメニューにより連続してナビゲーションするための第１ユーザアクティブ化手段と、前記オプションにより連続してナビゲーションする必要がなく前記オプションの所定の１つを直接選択するための第２ユーザアクティブ化手段と、から構成される表示装置から構成されることを特徴とするデジタルカメラ。【選択図】　　　図１
2004135271.tif 000002
【特許請求の範囲】
【請求項１】
表示装置にユーザ選択可能オプションのメニューを表示するための手段としての表示装置；
前記ユーザ選択可能オプションの表示されたメニューにより連続してナビゲーションするための第１ユーザアクティブ化手段；並びに
前記ユーザ選択可能オプションにより連続してナビゲーションする必要がなく、前記ユーザ選択可能オプションの所定の１つを直接選択するための第２ユーザアクティブ化手段；
から構成される表示装置から構成されることを特徴とするデジタルカメラ。
【請求項２】
請求項１に記載のデジタルカメラであって、前記表示するための手段は線形配列に前記ユーザ選択可能オプションのメニューを表示し、且つ前記第１ユーザアクティブ化手段は前記オプションの線形配列によりナビゲーションするために繰り返しアクティブにされる、ことを特長とするデジタルカメラ。
【請求項３】
請求項１に記載のデジタルカメラであって、前記表示するための手段は縦方向配列に前記ユーザ選択可能オプションのメニューを表示し且つ前記第１ユーザアクティブ化手段は調整されるときに上方向及び下方向それぞれに前記オプションの縦方向配列を通して連続的にナビゲーションされるアップダウンスイッチを有する、ことを特長とするデジタルカメラ。
【請求項４】
請求項１に記載のデジタルカメラであって、前記表示のための手段はユーザ選択可能オプションの少なくとも２つのメニューを表示し、各々のメニューは異なるオプションの縦方向配列を含み、１つのメニューのみが一度に表示され、且つタブは水平方向に配列された各々のメニューを確認し、並びに、前記第１ユーザアクティブ化手段は、調整されたときに上方向及び下方向それぞれにメニューのオプションの縦方向配列を通して連続的にナビゲーションするアップダウンスイッチを含み、且つ調整されたときに右側及び左側方向それぞれに水平方向に配列されたタブを通して連続的にナビゲーションされる右側及び左側スイッチを更に含む、ことを特長とするデジタルカメラ。
【請求項５】
請求項１に記載のデジタルカメラあって、前記第２ユーザアクティブ化手段は、複数の所定の機能を確認するための手段と前記所定の機能を直接選択するためにそれぞれ調整されることが可能であるユーザ調製スイッチとを含む、ことを特長とするデジタルカメラ。
【発明の詳細な説明】
【０００１】
【発明の属する技術分野】
本発明は、一般に、デジタルカメラ等のデジタル情報／画像形成システムに関し、特に、頻繁に変化するユーザ指定機能に速くアクセスするための専用スイッチを有するデジタル情報／画像形成システムに関する。
【０００２】
【従来の技術】
デジタルカメラ、携帯電話、携帯情報端末等の携帯型デジタル情報／画像形成システムは、近年、広く使用されてきている。画像及びシステム情報をシステムユーザに提供するために、システムは、通常、ユーザに有用な画像及び／又は情報を表示して提供するために少なくとも１つの表示装置を備えている。ユーザインタフェースのスイッチは又、通常、表示装置において表示される項目の間のナビゲーションを行うために提供される。デジタルカメラにおいては、デジタルカメラにより捕捉された画像を表示するために大きいＬＣＤ（Ｌｉｑｕｉｄ　Ｃｒｙｓｔａｌ　Ｄｉｓｐｌａｙ：液晶）表示装置を、一般に、備えている。表示装置は又、ユーザが選択可能であるカメラの特徴のメニュー及び画像捕捉に関連する機能を表示することが可能である（２００２年３月１４日に公開された、発明者Ｓｕｇｉｍｏｔｏによる米国特許出願公開第２００２／００３０７５４Ａ１号明細書（特許文献１）、２００２年２月２８日に公開された、発明者Ｆｕｊｉｔａ等による米国特許出願公開第２００２／００２４６０４Ａ１号明細書（特許文献２）、２００２年５月１６日に公開された、発明者Ｓｕｚｕｋｉ等による米国特許出願公開第２００２／００５７３５１Ａ１号明細書（特許文献３）、及び２００２年１１月６日に発行された、発明者Ａｎｄｅｒｓｏｎによる米国特許第６，３１３，８７７Ｂ１号明細書（特許文献４）を参照されたい）。
【０００３】
機能がアクセスされる前に、幾つかの画面を通じてスクロールする必要がなく、頻繁に変化される機能にアクセスする手段をユーザに提供することは好ましい。上述の特許文献又は次に示す特許文献の何れもがそのような能力について開示していない。それら特許文献は、２０００年１１月２８日に発行された、発明者Ａｎｄｅｒｓｏｎによる米国特許第６，１５４，２１０号明細書（特許文献５）、１９９６年１０月１５日に発行された、発明者Ｍｉｕｒａ等による米国特許第５，５６５，９３５号明細書（特許文献６）、１９９１年１月１日に発行された、発明者Ｋｕｒａｈａｓｈｉ等による米国特許第４，９８２，２９１号明細書（特許文献７）、及び２００２年２月２８日に公開された、発明者Ｆｕｊｉｔａ等による米国特許出願公開第２００２／００２４６０４Ａ１号明細書（特許文献８）である。
【０００４】
【特許文献１】
米国特許出願公開第２００２／００３０７５４Ａ１号明細書
【特許文献２】
米国特許出願公開第２００２／００２４６０４Ａ１号明細書
【特許文献３】
米国特許出願公開第２００２／００５７３５１Ａ１号明細書
【特許文献４】
米国特許第６，３１３，８７７Ｂ１号明細書
【特許文献５】
米国特許第６，１５４，２１０号明細書
【特許文献６】
米国特許第５，５６５，９３５号明細書
【特許文献７】
米国特許第４，９８２，２９１号明細書
【特許文献８】
米国特許出願公開第２００２／００２４６０４Ａ１号明細書
【発明が解決しようとする課題】
上述のように、従来技術においては、機能がアクセスされる前に、幾つかの画面を通じてスクロールする必要がなく、頻繁に変化される機能にアクセスする手段をユーザに提供することは好ましいが、先行技術の何れもがそのような能力について開示していない。
【０００５】
【課題を解決するための手段】
本発明に従って、先行技術における問題点に対する解決方法を提供することとする。
【０００６】
本発明の特徴に従って、前記表示装置にユーザ選択可能オプションのメニューを表示するための手段と、前記表示されたユーザ選択可能オプションの表示されたメニューにより連続してナビゲーションするための第１ユーザアクティブ化手段と、並びに、前記オプションにより連続してナビゲーションする必要がなく、前記オプションの所定の１つを直接選択するための第２ユーザアクティブ化手段とから構成される表示装置から構成される特徴とするデジタルカメラを提供する。
【０００７】
本発明は、次のような２つの利点を有している。
１．デジタル情報／画像形成システムは、頻繁に変化するユーザ指定機能に速くアクセスするための専用スイッチを有している。
２．複数のユーザ指定機能は、ナビゲーションスイッチアセンブリと組み合わせて用いられる専用スイッチを用いてアクセスされることが可能である。
【０００８】
【発明の実施の形態】
図１は、本発明の実施形態に従った装置を組み込み且つ方法を実施するデジタルカメラの例を示すブロック図である。デジタルカメラ３０は、取り外し可能なメモリカード７４に記憶されるデジタル画像を生成する。デジタルカメラ３０は、レンズ、アパチャモータドライブ３４により駆動される調節可能なアパチャ３３及びシャッタモータドライブ３５により駆動される電気駆動メカニカルシャッタ３６を含む。レンズ３２は、周知のＢａｙｅｒカラーフィルタパターンに適応する、例えば、シングルチップカラーＣＣＤイメージセンサ等のイメージセンサ４０におけるシーン（図示せず）からの光の焦点を合わせる。イメージセンサ４０はセンサドライバ４２により制御される。アパチャモータ３４とシャッタモータ３５及びセンサドライバ４２は、制御インタフェースプロセッサ６２及びフォトシステムインタフェース３７により制御される。
【０００９】
制御インタフェースプロセッサ６２はフォトシステムインタフェース３７からの入力を受け取る。イメージセンサ４０からのアナログ出力信号は増幅され、アナログ信号処理（ＡＳＰ：Ａｎａｌｏｇ　Ｓｉｇｎａｌ　Ｐｒｏｃｅｓｓｉｎｇ）５０及びアナログデジタル（Ａ／Ｄ）コンバータ回路５２により変換される。ＡＳＰ５０及びＡ／Ｄ５２は、カメラの効果的なＩＳＯ速度設定を調節するために用いることが可能であるプログラム可能な電気的利得を含む。このことについては、１９９７年３月１１日に発行された、発明者Ｐａｒｕｌｓｋｉ等であって同一出願人による米国特許第５，６１０，６５４号明細書のように実施される。デジタルデータはＤＲＡＭ場バッファメモリに記憶され、次いで、フラッシュＥＰＲＯＭメモリとすることが可能であるファームウェアメモリ７０に記憶されたファームウェアにより制御されるデジタル画像プロセッサ６６により処理される。或いは、デジタル画像プロセッサ６６は、カスタム回路（例えば、デジタルカメラのみに用いる１つ又はそれ以上のカスタム集積回路（ＩＣ）による）、又はプログラマブルプロセッサ及びカスタム回路の組み合わせにより供給される。
【００１０】
処理されたデジタル画像ファイルは、取り外し可能なメモリカード７４にデジタル画像ファイルを記憶するメモリカードインタフェース７２に供給される。取り外し可能なメモリカード７４は当業者には周知のものである。例えば、取り外し可能なメモリカード７４は、米国カリフォルニア州サニーベールにあるパーソナル・コンピュータ・メモリ・カード国際協会（ＰＣＭＣＩＡ：Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）が１９９１年９月に発行したＰＣカード標準について記載した“ＰＣＭＣＩＡカード国際標準第２．０版”、又は米国カリフォルニア州パロアルトにあるフラッシュメモリ協会により発行された“コンパクトフラッシュ（登録商標）仕様１．３版”に適合するメモリカードを含むことが可能である。Ｓｍａｒｔ　Ｍｅｍｏｒｙカード、Ｓｅｃｕｒｅ　Ｄｉｇｉｔａｌ（ＳＤ）カード及びメモリースティックカード、又は時期ハードディスク、磁気テープ又は光ディスク等の他のデジタル記憶装置をその代わりに用いてデジタル画像を記憶することが可能である。
【００１１】
実施形態によっては、レンダリングされたｓＲＧＢ画像データを生成するために、デジタル画像プロセッサ６６は色補正及びトーン補正の後に色補間を行う。次いで、レンダリングされたｓＲＧＢ画像データはＪＰＥＧにより圧縮され、ＪＰＥＧ画像ファイルとして取り外し可能なメモリカード７４に記憶される。他の実施形態においては、取り外し可能なメモリカード７４においてプロセッサにより直接圧縮されたデータ及び画像は、ホストＰＣ８０を用いて圧縮されたＢａｙｅｒカラー画像データを処理することにより後に終了される。
【００１２】
プロセッサ６６は又、ＲＡＭメモリ６８に記憶され且つユーザが検討するために捕捉された画像を表示するカラー画像ＬＣＤ７８に供給される“サムネイル”サイズの画像を生成する。デジタルスタータスドットマトリクスＬＣＤ８２を又備える。ＬＣＤ７８とＬＣＤ８２の間の双方向の表示支援については、後に、更に詳細に説明する。カラー画像表示装置の代わりに、デジタルカメラ３０は有機発光ダイオード（ＯＬＥＤ：Ｏｒｇａｎｉｃ　Ｌｉｇｈｔ　Ｅｍｉｔｔｉｎｇ　Ｄｉｏｄｅ）表示装置、又は多くの多のタイプの画像表示装置を用いることが可能である。サムネイル画像については、１９９２年１１月１７日に発行された、発明者Ｋｕｃｈｔａ等であって同一出願人による米国特許第５，１６４，８３１号明細書に開示されたようにして生成される。カラーＬＣＤ画像表示装置７８及びデジタルステータスＬＣＤ８２に表示されたグラフィカルユーザインタフェースは、ファームウェアメモリ７０に記憶されたファームウェアのユーザインタフェース部分及びデジタルボタン８４乃至１００により制御される。第３の表示装置（図示せず）を、アパチャ、シャッタ速度、露出モード等のようなカメラ本体の設定を示すために、カメラ３０の上端に備えることが可能である。
【００１３】
一連の画像が撮影されて取り外し可能なメモリカード７４に記憶された後、ホストＰＣ８０におけるカードリーダ（図示せず）に取り外し可能なメモリカード７４を挿入することが可能である。それに代えて、デジタルカメラ３０のインタフェース７６とホストＰＣ８０の間にインタフェースケーブル７７を用いることが可能である。インタフェースケーブル７７は、周知であるＩＥＥＥ１３９４インタフェース仕様、ＵＳＢ（Ｕｎｉｖｅｒｓａｌ　Ｓｅｒｉａｌ　Ｂｕｓ）インタフェース仕様又は他の有線或いは無線インタフェース仕様に準拠することが可能である。
【００１４】
又、デジタルカメラ３０を、３５ｍｍ又は中間フォーマットフィルムカメラのためのデジタルバックから構成することが可能である。この場合、レンズ３２、アパチャ３４、シャッタ３６がフィルムカメラ本体の一部として備えられ、イメージセンサ４０、画像プロセッサ６６及びカラー画像表示装置７８を含む他の構成要素が、フィルムカメラ本体に接続される分離したデジタルカメラバックの一部として備えられる。このような接続は、好ましくは、電気的接続（図示せず）を含み、これにより、レンズ３２、アパチャ３３及びシャッタ３６を、制御プロセッサ及びデジタルバックにおけるタイミングジェネレータ６０により制御することが可能である。
【００１５】
ここで図２を参照するに、本発明に組み込まれるデジタルユーザインタフェースの構成要素を備えたカメラ３０の背面パネルについて示している。図２に示すように、デジタルカメラ３０は、画像ＬＣＤ７８、デジタルステータスＬＣＤ８２及びデジタルボタン８４乃至１０２を含む背面パネル２０２を備えたハウジング２００から構成される。背面パネル２０２は又、ファインダ２０４及び他のカメラ制御装置（説明せず）を含む。デジタルボタン８４乃至１０２は、メニューボタン８４、ナビゲーションボタン８６、ホットキーボタン９６、タグ／記録ボタン１００及び上（１２時の位置）部分１０４、右側（３時の位置）部分１０６、下（６時の位置）部分１０８及び左側（９時の位置）部分１１０をもつ４分割スイッチ１０２を含む。
【００１６】
以下に、デジタルユーザインタフェースの構成要素についてより詳細に説明する。
【００１７】
画像ＬＣＤ７８
カラー画像ＬＣＤ７８は、特徴及び機能（例えば、画像レビュー、設定／設定変更）を含むカメラメニューシステムに接続するための表示装置としての機能を果たす。画像ＬＣＤ７８は３種類の情報、即ち
●　画像及び画像に関連する情報（例えば、ヒストグラム）
●　カメラのデジタルの特徴／機能メニュー、関連するサブメニュー及びメニューオプション
●　テキストに基づくメッセージ及びエラーメッセージを表示する。
【００１８】
デジタルステータスＬＣＤ８２
デジタルステータスＬＣＤ８２はプログラム可能なドットマトリクス表示装置である。デジタルステータスＬＣＤ８２は４種類の情報、即ち
●　現在の状態及び種々の捕捉が決定的に影響するデジタル機能（アイコン、英数字）
●　画像ＬＣＤにおいてレビューされた画像の性質に関する情報
●　画像ＬＣＤにおいて表示された情報を支援し且つ解釈するために役立つテキストベースのメッセージ
●　手続き指令
を表示する。
【００１９】
画像捕捉における役割に関して、デジタルステータスＬＣＤ８２は、これらの捕捉関連のデジタル機能（ホワイトバランス等）に効果的にアクセスすることを可能にするエンハンスされた相互作用能力とみなされる。
【００２０】
次に、デジタルボタン８４乃至１０２の動作について説明する。
【００２１】
４分割スイッチ
４分割スイッチ１０２は、カメラ３０の背面パネル２０２に配置された４方向ロッカースイッチから構成される。１２時、３時、６時又は９時の位置１０４、１０６、１０８、１０８の１つを選択して押すとき、そのスイッチはデジタルカメラ３０及び関連するファームウェア７０に適切な信号をもたらす。４分割スイッチ１０２は、画像ＬＣＤ７８の状況に応じたカメラの異なる状態を制御する。
【００２２】
４分割スイッチ：ＬＣＤオン状態
画像ＬＣＤ７８がオンのとき、４分割スイッチ１０２は、デジタルファームウェアにより捕捉され且つ画像ＬＣＤ７８において表示された情報を制御するために用いられる。４分割スイッチ１０２は、次のような方式で動作する。
【００２３】
表示モードが動作中（対象領域（ＲＯＩ：Ｒｅｇｉｏｎ　ｏｆ　Ｉｎｔｅｒｅｓｔ）のボックスがイネーブルであるときを除いて）のときは、次のようになる。即ち、
●　４分割スイッチ１０２の右側１０６／左側１１０を押すことにより、画像の前方／後方へのナビゲーションが得られる。
●　４分割スイッチ１０２の上側１０４／下側１０８を押すことにより、４つの画像モードが順次得られる。
【００２４】
ズームモードが動作中でＲＯＩボックスがイネーブルであるときは、次のようになる。即ち、
●　４分割スイッチ１０２の右側１０６／左側１１０を押すことにより、ＲＯＩボックスの左側１１０／右側１０６への動きが得られる。
●　４分割スイッチ１０２の上側１０４／下側１０８を押すことにより、ＲＯＩボックスの上方／下方への動きが得られる。
【００２５】
何れかの選定されたメニュースクリーン又はテキストベースのメニューがＬＣＤ７８に表示されたときは、次のようになる。即ち、
●　４分割スイッチ１０２の右側１０６／左側１１０を押すことにより、メニューオプション（例えば、選定されたメニュースクリーン）の左側／右側へのナビゲーションが得られる。
●　カスケード式メニューをもつ選定されたスクリーンオプションが強調表示されたとき、４分割スイッチ１０２の右側を押すことにより、強調表示された現在の値がイネーブルになる。
●　イネーブルのカスケード式メニュー又は二重にカスケード式のメニューが表示されたとき、４分割スイッチ１０２の左側を押すことにより、メニューがディセーブルになる。
●　４分割スイッチ１０２の上側１０４／下側１０８を押すことにより、垂直に配置されたメニューオプション（例えば、選定されたメニュースクリーンのオプション、カスケード式メニューオプション）により上方／下方ナビゲーションが得られる。
【００２６】
４分割スイッチ１０２は、不連続的方法又は連続的方法で用いられることが可能である。即ち、４分割スイッチ１０２の一方側を押して離すことにより画像又はメニューオプションを１つずつナビゲーションすることが可能である。又、４分割スイッチ１０２の一方側を押し続けることにより画像又はメニューオプションを連続的にナビゲーションすることが可能である。
【００２７】
４分割スイッチ１０２：デジタルステータスボタン動作状態
デジタルステータスボタン９０を押し続けるとき、４分割スイッチ１０２は捕捉され、４分割スイッチ１０２を現在用いている他のカメラの機能（即ち、オートフォーカス、画像表示）の何れかから制御が移行する。デジタルステータスボタン９０の制御下にあるとき、デジタルステータスＬＣＤ８２に表示された機能間の順序付けるために４分割スイッチ１０２を用いる。
【００２８】
デジタルステータスボタン９０が４分割スイッチ１０２の制御を行うとき、４分割スイッチ１０２は、次の２つの方法により動作する。
●　４分割スイッチ１０２の右側１０６／左側１１０を操作することにより、回り込みを用いて機能のグループ化の間の順序付けがなされる。
●　４分割スイッチ１０２の上方側１０４／下方側１０８を操作することにより、回り込みを用いて機能のグループ化の間の順序付けがなされる。
【００２９】
ＯＫボタン９２
ＯＫボタン９２は、カメラの背面パネル２０２の右側であって、４分割スイッチ１０２の左及びキャンセルボタン９４のすぐ上方に位置するプッシュボタンである。ＯＫボタン９２は次のような多くの機能を提供する。
●　画像ＬＣＤ７８がオフのとき、ＯＫボタンを押すことにより、オンになる。
●　画像ＬＣＤ７８においてメニューオプションが強調表示されたとき、ＯＫボタン９２を押すことにより、そのオプションが実行される。
●　ディセーブルであるＲＯＩボックスを伴うズームモードにおいて、ＯＫボタン９２を押すことにより、デフォルト又は最後に使用した位置においてＲＯＩボックスをイネーブルにする。
●　イネーブルであるＲＯＩボックスを伴うズームモードにおいて、ＯＫボタン９２を押すことにより、ズームが実行される。
●　画像ＬＣＤ７８において確認画面が表示されたとき、ＯＫボタン９２を押すことにより、プロセスが実行される（即ち、削除画像、クリックバランス）。
【００３０】
キャンセルボタン９４
キャンセルボタン９４は、カメラの背面パネル２０２の右側上部であって、４分割スイッチ１０２のすぐ左及びＯＫボタン９２の下方に位置するプッシュボタンである。キャンセルボタン９４は次のような多くの機能を提供する。
●　画像ＬＣＤ７８がオン且つ何れかの表示モードが動作状態のとき、キャンセルボタン９４を押すことにより、画像ＬＣＤがオフになる。
●　画像ＬＣＤ７８がオン且つサブメニューを表示しているとき、キャンセルボタン９４を押すことにより、何ら変化を伴うことなくＵＩ（Ｕｓｅｒ　Ｉｎｔｅｒｆａｃｅ：ユーザインタフェース）階層においてサブメニューから親メニューに出る。
●　イネーブルであるＲＯＩボックスを伴うズームモードにおいて、キャンセルボタン９４を押すことにより、ＲＯＩボックスをディセーブルにする。
●　何れかの確認画面が表示されたとき、キャンセルボタン９４を押すことにより、プロセスが実行される（削除画像、クリックバランス）。
●　画像ＬＣＤ７８においてメニューバーが表示されたとき、キャンセルボタン９４はメニューバーを取り消す（メニューバーは又、メニューボタンを押すことによりトグルされることが可能である）。
【００３１】
メニューボタン８４
メニューボタン８４は、カメラの背面パネル２０２の左側であって、画像ＬＣＤ７８のすぐ左且つナビゲーションボタン８６の上方に位置するプッシュボタンである。メニューボタン８４は次のような多くの機能を提供する。
●　画像ＬＣＤ７８がオン且つ何れかの表示モードが動作状態のとき、メニューボタン８４を押すことにより、最後にアクセスしたオプションが強調表示されると共に最後にアクセスされた選定されたメニューが表示される。
●　選定されたメニュースクリーン及びその関連するテキストベースのメニューが画像ＬＣＤに表示されるとき、メニューボタン８４を押すことにより、メニュー画面は取り消され且つ最後に用いられた画像モードが表示される。
●　画像ＬＣＤ７８がオフのとき、メニューボタン８４を押すことにより、画像ＬＣＤ７８がオンになり且つ最後にアクセスされた選定されたメニュー画面が最後にアクセスされた強調表示されたオプションと共に表示される。
●　サブメニューオプションがＯＫボタン／キャンセルボタン９４を押すことを必要とするとき、メニューボタン８４はメニュー画面を取り消さない。
●　画像ＬＣＤ７８において何れかの選定されたメニュー画面が表示されたとき、メニューボタン８４を押し続け、４分割スイッチ１０２の右側１０６／左側１１０を操作することにより、選定画面をナビゲートする。
【００３２】
選定メニュー
表示装置７８においけるメニュータブは、種々のデジタル機能を設定／選択すること及びＬＣＤの画像のコントラストを制御することのための多様なアイコンを表示する。各々のアイコンは、選択されたときに、強調表示され、関連するメニュー画面が表示される。選択されなかったアイコンは強調表示されない。メニュータブの項目は機能によりグループ化され、それら機能のグループは次に示すものが含まれる（図４及び図６乃至図１６）。
捕捉（ＣＡＰＴＵＲＥ）画面
●　ＩＳＯ
●　ホワイトバランス（ＷＨＩＴＥ　ＢＡＲＡＮＣＥ）
●　フォルダ（ＦＯＬＤＥＲ）
●　ＣＦカード（ＣＦ　ＣＡＲＤ）
●　ＳＤカード（ＳＤ　ＣＡＲＤ）
●　生解像度（ＲＡＷ　ＲＥＳＯＬＵＴＩＯＮ）
●　ＪＰＥＧ解像度（ＪＰＥＧ　ＲＥＳＯＬＵＴＩＯＮ）
●　クロップアスペクト比（ＣＲＯＰ　ＡＳＰＥＣＴ　ＲＡＴＩＯ）
レビュー（ＲＥＶＩＥＷ）
●　フォルダ（ＦＯＬＤＥＲ）
●　外部ビデオ（ＥＸＴＥＲＮＡＬ　ＶＩＤＥＯ）
●　露光過多インジケータ（ＯＶＥＲＥＸＰ．　ＩＮＤＩＣＡＴＯＲ）
●　表示装置コントラスト（ＤＩＳＰＬＡＹ　ＣＯＮＴＲＡＳＴ）
●　画像モードメニュー（ＩＭＡＧＥ　ＭＯＤＥ　ＭＥＮＵ）
画像パラメータ（ＩＭＡＧＥ）
●　ＪＰＥＧ品質（ＪＰＥＧ　ＱＵＡＬＩＴＹ）
●　デジタル露光補正（ＤＩＧＩＴＡＬ　ＥＸＰ．　ＣＯＲＲ．）
●　ルック（ＬＯＯＫ）
●　ノイズ除去（ＮＯＩＳＥ　ＲＥＤＵＣＴＩＯＮ）
●　シャープニングレベル（ＳＨＡＲＰＮＩＮＮＧ　ＬＥＶＥＬ）
●　出力カラー空間（ＯＵＴＰＵＴ　ＣＯＬＯＲ　ＳＰＡＣＥ）
●　画像番号付け（ＩＭＡＧＥ　ＮＵＭＢＥＲＩＮＧ）
カメラツール（ＴＯＯＬＳ）
●　ユーザモード（ＵＳＥＲ　ＭＯＤＥ）
●　バッテリセーブ（ＢＡＴＴＥＲＹ　ＳＡＶＥ）
●　バーティカルリリース（ＶＥＲＴＩＣＡＬ　ＲＥＬＥＡＳＥ）
●　フォルダ／ファイルのネーミング（ＦＯＬＤＥＲ／ＦＩＬＥ　ＮＡＭＥＩＮＧ）
●　言語（ＬＡＮＧＵＡＧＥ）
●　ジョブトラッカ（ＪＯＢ　ＴＲＡＣＫＥＲ）
●　ファームウェア（ＦＩＲＭＷＡＲＥ）
●　デフォルトへのリセット（ＲＥＳＥＴ　ＴＯ　ＤＥＦＡＵＬＴＳ）
●　時間／日付（ＴＩＭＥ／ＤＡＴＥ）
●　ビデオフォーマット（ＶＩＤＥＯ　ＦＯＲＭＡＴ）
●　インターバロメータ（ＩＮＴＥＲＶＡＬＯＭＥＴＥＲ）
●　シリアルポート（ＳＥＲＩＡＬ　ＰＯＲＴ）
選定メニューの動き
選定メニュー画面は、デジタルの特徴を表示するため及びそれらの特徴に関連した値及び設定を変更するための基本的な組織化アーキテクチャである。
【００３３】
選定メニューの構造は次の３つのレベルからなり、捕獲画面におけるホワイトバランスオプションを用いて示される。
●　第１レベルは、種々の特徴とそれらの現在の値（適切な場合に）を含む選定メニュー画面からなる。５つの選定メニュー画面がある（図６）。
●　第２レベルは、現在強調表示されている選定メニュー画面オプションに関連したカスケード式メニューオプションからなる。サブオプションの第２のカスケード式メニューが存在する場合、ディセーブル（非双方向性）のメニューとして表示される（図７）。
●　第３レベルは、現在強調表示されているカスケード式メニューオプションに関連するオプションの補助的なカスケード式メニューからなる。この補助的なカスケード式メニューはナビゲーション可能である。
【００３４】
制御装置−表示装置間の動きについての次の説明は、全ての選定メニュー画面に当てはまる。
【００３５】
選定メニューオンセット／オフセット
選定メニュー画面は、メニューボタン８４が押されたときはいつでも、又はデジタルステータス表示装置の機能が選択されたときに、表示される。
●　選定メニュー画面が表示されないとき、メニューボタン８４を押すことにより、強調表示された最後にアクセスされたオプションと共に、選定メニュー画面が表示される。
●　選定メニュー画面が表示装置７８に表示されたとき、メニューボタン８４を押すことにより、選定メニュー画面が却下され且つ最後に用いられた画像モードが表示される。
●　選定メニュー画面が表示装置７８に表示されたとき、キャンセルボタンを押すことにより、選定メニュー画面が却下され且つ最後に用いられた画像モードが表示される。
●　選定メニュー画面が表示装置７８に表示されたとき、ハイパーナビゲーションボタン８６を押すことにより、選定メニュー画面が却下され且つハイパーナビゲーションオーバーレイと共にシングル画像モードが表示される。
●　デジタルステータス表示装置オプションが選択されたとき、そのオプションに関連した選定メニュー画面は表示装置７８に表示される。
【００３６】
選定メニュー画面のアイコン
メニュータブのアイコンの順序（左から右）は、捕捉、レビュー、画像設定及びカメラツールとなっている。
【００３７】
選定メニューナビゲーション
選定メニュー画面のアイコン間のナビゲーションは、メニューボタン８４を押し続け且つ４分割スイッチ１０２の右側又は左側を押すことにより行われる。
●　４分割スイッチ１０２の右側１０６を押すことにより、選定メニュー画面間の左から右へのナビゲーションを行うことができる。回り込みが生じ、それ故、一番右の画面に達したとき、４分割スイッチの右側を再び押すことにより、捕捉画面が表示される。
●　４分割スイッチ１０２の左側１１０を押すことにより、選定メニュー画面間の右から左へのナビゲーションを行うことができる。回り込みが生じ、それ故、一番左の画面（補足画面）に達したとき、４分割スイッチの左側を再び押すことにより、一番右の画面が表示される（図９）。
【００３８】
各々の選定メニュー画面におけるオプションは、縦方向に配列され、４分割スイッチ１０２の上下の操作により縦方向にナビゲーションされる。強調表示されたバーはオプションが選択されたことを示す。この強調表示されたバーは、オプション名と関連の省略符号の幅を拡張するが、そのオプションの現在の値は除外する。
●　４分割スイッチ１０２のボタン１０８を押すことにより、オプションを通しての強調表示が下方への動くようにすることができる。
●　４分割スイッチ１０２のボタン１０４を押すことにより、オプションを通しての強調表示が上方への動くようにすることができる。
●　下方及び上方の両方の強調表示の方向に回り込みの能力をもつ。
ｏ　縦方向に配列されたオプションのセットにおける最後のオプションが強調表示されたとき、更に、４分割スイッチの下側がアクティブであることにより、トップメニューオプションに強調表示をラップする（ｗｒａｐ）。
ｏ　縦方向に配列されたオプションのセットにおける第１オプションに達したとき、更に、４分割スイッチの上側がアクティブであることにより、ボトムメニューオプションに強調表示をラップする
●　４分割スイッチ１０２の左側を操作しても何も変わらない。
●　４分割スイッチ１０２の右側を操作することにより、強調表示されたオプションのために可能な値のリストを含む縦方向に配列されたサブメニューが表示される。
ｏ　サブメニューにおけるそのオプションのための現在の値が強調表示される。
ｏ　他の選定メニューオプションはディセーブルなアピアランスを伴って表示され、それにおいて、非強調表示オプションのためのグレーテキストが含まれ、且つ他の関連した省略符号及び現在の値は除去される。
ｏ　縦方向に配列したメニューオプションはそれ自身のサブオプションのカスケード指揮メニューを有する場合、そのカスケード式メニューはディセーブルなアピアランスと共に表示されるが、現在の強調表示された値は伴っていない（図１０及び図１１）。
【００３９】
捕捉画面
捕捉画面は画像補足には、次のような関連した８つのオプションがある。
●　ＩＳＯ
●　ホワイトバランス（ＷＨＩＴＥ　ＢＡＲＡＮＣＥ）
●　フォルダ（ＦＯＬＤＥＲ）
●　ＣＦカード（ＣＦ　ＣＡＲＤ）
●　ＳＤカード（ＳＤ　ＣＡＲＤ）
●　生解像度（ＲＡＷ　ＲＥＳＯＬＵＴＩＯＮ）
●　ＪＰＥＧ解像度（ＪＰＥＧ　ＲＥＳＯＬＵＴＩＯＮ）
●　クロップアスペクト比（ＣＲＯＰ　ＡＳＰＥＣＴ　ＲＡＴＩＯ）
レビュー画面（図１２）
●　フォルダ（ＦＯＬＤＥＲ）
●　外部ビデオ（ＥＸＴＥＲＮＡＬ　ＶＩＤＥＯ）
●　露光過多インジケータ（ＯＶＥＲＥＸＰ．　ＩＮＤＩＣＡＴＯＲ）
●　表示装置コントラスト（ＤＩＳＰＬＡＹ　ＣＯＮＴＲＡＳＴ）
●　画像モードメニュー（ＩＭＡＧＥ　ＭＯＤＥ　ＭＥＮＵ）
画像パラメータ画面（図１３）
チキンホーク（ｃｈｉｃｋｅｎｈａｗｋ）は異なるファイルのタイプをレンダリングして終了する間に適用される種々の画像パラメータの設定を可能にする。これは、ホストのソフトウェア（例えば、Ｐｈｏｔ　Ｄｅｓｋ、Ｃａｐｔｕｒｅ　Ｓｔｕｄｉｏ）を用いてみるとき、異なるファイルのタイプ（例えば、ＤＣＲ、ＪＰＥＧ）の画像アピアランスが類似することを可能にする。画像パラメータは、生且つ終了したファイルパラメータをレンダリングする間に適用される７つのオプションを選別する。ＤＣＲファイルに対しては、画像がＰｈｏｔ　Ｄｅｓｋ、Ｃａｐｔｕｒｅ　Ｓｔｕｄｉｏにおいてレンダリングされ且つオープンにされたとき、パラメータが適用される（ＪＰＥＧ品質を除いて）。ＪＰＥＧファイルに対しては、このファイルのタイプが撮影中に終了される間に、パラメータが適用される。それら７つのパラメータは次のようなものである。
●　ＪＰＥＧ品質（ＪＰＥＧ　ＱＵＡＬＩＴＹ）
●　デジタル露光補正（ＤＩＧＩＴＡＬ　ＥＸＰ．　ＣＯＲＲ．）
●　ルック（ＬＯＯＫ）
●　ノイズ除去（ＮＯＩＳＥ　ＲＥＤＵＣＴＩＯＮ）
●　シャープニングレベル（ＳＨＡＲＰＮＩＮＮＧ　ＬＥＶＥＬ）
●　出力カラー空間（ＯＵＴＰＵＴ　ＣＯＬＯＲ　ＳＰＡＣＥ）
カメラツール画面（図１４）
カメラツール画面は、カメラの種々の様子を制御し且つ管理するために用いることが可能であるたくさんの設定に対するホームである。このスクリーンは、カメラの設定を行い且つ変更するために、次のような１３個のオプションをもっている。
●　ユーザモード（ＵＳＥＲ　ＭＯＤＥ）
●　バッテリセーブ（ＢＡＴＴＥＲＹ　ＳＡＶＥ）
●　バーティカルリリース（ＶＥＲＴＩＣＡＬ　ＲＥＬＥＡＳＥ）
●　フォルダ／ファイルのネーミング（ＦＯＬＤＥＲ／ＦＩＬＥ　ＮＡＭＥＩＮＧ）
●　言語（ＬＡＮＧＵＡＧＥ）
●　ジョブトラッカ（ＪＯＢ　ＴＲＡＣＫＥＲ）
●　ファームウェア（ＦＩＲＭＷＡＲＥ）
●　デフォルトへのリセット（ＲＥＳＥＴ　ＴＯ　ＤＥＦＡＵＬＴＳ）
●　時間／日付（ＴＩＭＥ／ＤＡＴＥ）
●　ビデオフォーマット（ＶＩＤＥＯ　ＦＯＲＭＡＴ）
●　インターバロメータ（ＩＮＴＥＲＶＡＬＯＭＥＴＥＲ）
●　シリアルポート（ＳＥＲＩＡＬ　ＰＯＲＴ）
●　ホットキー（ＨＯＴＫＥＹ）
ナビゲーションボタン８６
ナビゲーションボタン８６は、フォルダ間の及びフォルダ内の画像間の速く効果的なナビゲーティング方法を可能にする。ナビゲーションボタン８６は、画像ＬＣＤ７８の左側であって、メニューボタン８４の下に位置している。ナビゲーションボタン８６は、次の２つの機能を得るために４分割スイッチ１０２と連動して動作する。
●　カードにおけるフォルダ間でナビゲーションする。
●　フォルダ間で一度に幾つかの画像をナビゲーションする。
Ｎａｖ＋ボタン８６が押されたとき、次の機能が得られる。
●　画像ＬＣＤ７８がオフの場合、画像ＬＣＤ７８はオンになり、ナビゲーションオーバーレイを伴って現在アクティブな画像モードを表示する。
ナビゲーションオーバーレイは次のような情報を含む。
●　各々のフォルダにおける画像の数と共に、メモリカードに存在するフォルダの名前のリスト
●　フォルダにおける画像の総数に関連する現在の画像の位置を示すロケーションバー
●　画像の最大数（最大数＝９９）に関連するフォルダにおける画像数を示すために、ロケーションバーはシェーディングを有する。
●　ロケーションバーはすべてのｎ番目の画像にチェックマークを有する。
●　画像ＬＣＤ７８がオンの場合、現在アクティブな画像モードを表示する。
●　デジタルステータス表示ＬＣＤ８２にレビュー関連の情報を表示する。
【００４０】
ホットキーボタン８８
ホットキーボタン８８は、カメラの背面パネルの左側であって、画像表示の左且つナビゲーションボタン８６の下に位置するプッシュボタンである。ホットキーボタン８８は４分割スイッチ１０２と連動して用いられ、ユーザに特徴的な機能に速くアクセスすることが可能である。ホットキーボタン８８は（ユーザにより定義された）頻繁に変化する機能に対するショートカットとしての機能を果たし、それにより、機能の現在の値は変化されることが可能である。１つ又はそれ以上の機能はホットキーボタンと共に使用するために設定される。
ホットキーボタン８８が押されたとき、次の機能が得られる。
●　画像ＬＣＤ７８がオフの場合、画像ＬＣＤはオンになり、第１のホットキーの位置に関連する機能を表示する。
●　画像ＬＣＤ７８がオンの場合、第１のホットキーの位置に関連する機能を表示する。
●　４分割スイッチ１０２に連動して用いられるとき、ユーザにより選択された機能を表示し、ユーザにより選択された機能には次のようなものがある。
ｏ　ホットキーボタンを押し且つ４分割スイッチの右側１０２を操作する
ことにより、割り当てられたホットキーの位置に関連した選定メニュー画面において昇順の数の順序に順序付けられる。デジタルステータス表示は強調表示されたメニューオプションに関連した情報を表示する。
ｏ　ホットキーボタンを押し且つ４分割スイッチの右側１０２を操作することにより、割り当てられたホットキーの位置において降順の数の順序に順序付けする。デジタルスステータス表示装置は強調表示されたメニューオプションに関連した情報を表示する。
ｏ　各々のホットキーの位置が選択されたとき、強調表示された機能をもつ関連した選定されたメニュー画面がディセーブルアピアランスと共に表示される。ホットキーボタン８８が開放されたとき、選定されたメニュー画面はイネーブルになる。
ｏ　割り当てられたホットキーの位置に関連する機能のみが表示される（即ち、割り当てられなかった位置は表示の目的のために無視される）。
【００４１】
ホットキー機能の設定
ホットキー機能には幾つかの設定がある。ホットキーの位置は工場で割り当てることができる一方、その他に３つの割り当て方がある。ホットキーの割り当てはツール画面におけるホットキーオプションによりなされることが可能である。ホットキーを選択すること及び４分割スイッチ１０２の右側を押すことにより、ホットキーオプションを含むカスケード式メニューが表示される（図１５及び１６）。
●　リセットオプションは、各々のホットキーの位置に対して新しい機能が割り当てられることを可能にする。
●　クリアオプションは、置き換えを必要とせずに現在の機能を取り除くことを可能にする。
リセットオプションを選択することにより、現在の機能リストを“アクティブ”にし、且つ何れかの割り当てられていない位置を強調表示する。割り当てられていない位置が存在しない場合、最後に変化された値が強調表示される。ＯＫボタンを押すことにより、ホットキー機能を設定するための指令を含む次のようなメッセージ（画像ＬＣＤ及びでデジタルステータス表示装置）が表示される（図１７）。
●　ＯＫボタンを押すことにより、強調表示された現在割り当てられたホットキー機能と共に選定された画面が表示され、又は、ホットキーの位置が割り当てられていない場合は、強調表示された第１のオプションと共に捕捉画面を表示する。デジタルステータス表示装置のメッセージは、ホットキーを割り当てる手順が完了するまで、保持される。
●　キャンセルボタンを押すことにより、ホットキー割り当てプロセスが終了し、強調表示されたホットキーオプションと共にツール画面が表示される。デジタルステータス表示装置は前の状態に戻る。
ユーザは所望の機能にナビゲーションしなければならない。強調表示された機能又は関連したカスケード式メニューは、ホットキーの割り当ての目的のために十分なければならない。一旦、所望の機能が表示され且つ強調表示されれば、ホットキーボタン８８を押すことにより、次のようなメッセージが表示される（図１８）。
●　ＯＫボタンを押すことにより、現在のホットキーの位置に強調表示された機能を割り当て、且つフィードバックとして強調表示された新しい機能と共にホットキーメニューが表示される。
●　キャンセルボタン９４を押すことにより、次のメッセージ画面が表示される（図１９）。
●　前記画面が表示されたとき、ＯＫボタン９２を押すことにより、強調表示された選択された機能を伴う前に表示された選定画面に戻る。
●　キャンセルボタン９４を押すことにより、ホットキー割り当て手順を終了し且つ強調表示されたオプションを伴うツールタブに戻る。
【００４２】
デジタルステータスボタン９０
デジタルステータスボタン９０は、デジタルステータス表示装置８２の左上のコーナーの上方に位置するプッシュボタンである。制御するためのこのボタンの機能は、デジタルステータス表示装置８２に表示された捕捉関連の機能にアクセスする。
●　デジタルステータスボタン９０を押し続けることにより、最後に用いられたデジタルステータス表示装置８２の機能を強調表示し、４分割スイッチ１０２を捕捉し、且つ画像表示装置７８において強調表示された機能のために選定されたメニュー画面を表示する。
ｏ　レビュー関連の情報が表示された場合、デジタルステータスボタン９０を押すことにより、捕捉関連の情報が表示され、強調表示された最後にアクセスされた機能に関連したアイコンを強調表示する。
●　デジタルステータスボタン９０が開放されたとき、メニュー機能はイネーブルになる。
【００４３】
デジタルステータスＬＣＤ８２
デジタルステータスＬＣＤ８２は、３つの異なる種類の情報を表示するプログラム可能な表示装置である。それら３つの異なる情報は、（１）種々の捕捉が決定的に影響するデジタル機能に関連する現在の状態及び設定、（２）画像ＬＣＤ７８において調べられた画像の情報の性質、及び（３）画像ＬＣＤ７８において表示された情報の解釈を支援し且つ助けるためのテキストベースのメッセージ、である。画像捕捉におけるその役割に関して、デジタルステータスＬＣＤ８２は、これら捕捉関連のデジタル機能（ホワイトバランス等）に効果的にアクセスすることを可能にする強化された相互作用能力を前提とする。メニュースクリーンナビゲーションの役割に関して、デジタルステータスＬＣＤ８２は、画像表示装置７８におけるコンテンツのための解釈可能な支援の役割（例えば、“ヘルプメッセージ”、“ツールチップメッセージ（ｔｏｏｌ　ｔｉｐ　ｍｅｓｓａｇｅｓ）”）を担う。
【００４４】
捕捉関連情報：双方向性表示制御要素
デジタルステータスＬＣＤ８２の捕捉機能性は本質的に双方向性であり、次の２つの機能を果たす。
●　捕捉が決定的に影響する機能に関連するアイコンのセットを表示する。これらのアイコンは各々の機能の現在の値を表示する。
●　強調表示された機能の表示値を変更するために関連したメニューへのショートカットとしての機能を果たす。
【００４５】
その双方向性の性質は、表示要素がユーザにより強調表示されたとき、デジタルステータス表示装置における強調表示された機能は、画像表示装置７８における関連した選定されたメニュー画面の機能を呼び出し且つ表示する。ユーザは、このとき、その機能に関連するメニューオプションと、直接対話することが可能である。
【００４６】
図３に示すように、デジタルステータス表示装置８２は、次のような機能のためにアイコンを表示する。それらの機能は、ホワイトバランス３００、ＩＳＯ速度３０２、ＣＦメモリカード３０４及びＭＭ／ＳＤメモリカード３０６、ＪＰＥＧ品質３０８、生解像度３１０及びＪＰＥＧ解像度３１２、並びにクロップアスペクト比３１４等である。
【００４７】
デジタルステータスＬＣＤ８２における強調表示されたデジタルステータス表示機能４００は、画像表示装置７８に表示された対応するメニューオプション４０２を有する（図４）。
【００４８】
レビュー表示要素（読み取りのみ）
デジタルステータス表示装置のレビュー機能性は本質的に双方向性ではなく、単一目的の機能を果たす。それは、画像の捕捉のときに存在した画像ベースの情報のセットを表示する。
【００４９】
レビュー関連の情報が表示されたときであって、シャッタボタンがＳ１に押されたとき、デジタルステータス表示装置は捕捉関連の情報に戻る。図５において、図５において、現在の画像数５００及び現在のフォルダ名５０２が左側に表示され、ホワイトバランス、クロップアスペクト比、ＩＳＯ及び解像度５０４がデジタルステータス表示装置８２の右側に表示される。
【００５０】
コンテクストによる影響を受け易いテキストメッセージ（読み取りのみ）
デジタルステータス表示装置８２は又、画像ＬＣＤ７８を支援する役割を提供する。この支援の性質は、“ミニヘルプ”及び“ツールチップ”機能である。この双方向性表示支援の背後にあるデザインの目的は、経験の浅いデジタルユーザを支援するために、撮影中の支援システムを提供することである。
【図面の簡単な説明】
【図１】デジタルカメラを組み込んだ本発明の実施形態の例を示すブロック図である。
【図２】本発明の実施形態に従った第１及び第２表示装置を示す図１のカメラの背面パネルの外観を示す図である。
【図３】本発明の実施形態の説明に有用な図である。
【図４】本発明の実施形態の説明に有用な図である。
【図５】本発明の実施形態の説明に有用な図である。
【図６】本発明の実施形態の説明に有用な図である。
【図７】本発明の実施形態の説明に有用な図である。
【図８】本発明の実施形態の説明に有用な図である。
【図９】本発明の実施形態の説明に有用な図である。
【図１０】本発明の実施形態の説明に有用な図である。
【図１１】本発明の実施形態の説明に有用な図である。
【図１２】本発明の実施形態の説明に有用な図である。
【図１３】本発明の実施形態の説明に有用な図である。
【図１４】本発明の実施形態の説明に有用な図である。
【図１５】本発明の実施形態の説明に有用な図である。
【図１６】本発明の実施形態の説明に有用な図である。
【図１７】本発明の実施形態の説明に有用な図である。
【図１８】本発明の実施形態の説明に有用な図である。
【図１９】本発明の実施形態の説明に有用な図である。
【符号の説明】
３０　　　デジタルカメラ
３２　　　レンズ
３３　　　アパチャ
３４　　　アパチャモータドライブ
３５　　　シャッタモータドライブ
３６　　　メカニカルシャッタ
３７　　　フォトシステムインタフェース
４０　　　イメージセンサ
４２　　　センサドライバ
５０　　　アナログ信号処理
５２　　　アナログデジタルコンバータ回路
６２　　　制御インタフェースプロセッサ
６４　　　ＤＲＡＭ
６６　　　デジタル画像プロセッサ
６８　　　ＲＡＭ
７０　　　ＥＰＲＯＭ“ファームウェア”メモリ
７２　　　メモリカードインタフェース
７４　　　取り外し可能メモリカード
７６　　　インタフェース
７７　　　インタフェースケーブル
７８　　　カラー画像ＬＣＤ
８０　　　ホストコンピュータ
８２　　　デジタルステータスＬＣＤ
８４　　　メニューボタン
８６　　　ナビゲーションボタン
８８　　　ホットキーボタン
９０　　　デジタルステータスボタン
９２　　　ＯＫボタン
９４　　　キャンセルボタン
９６　　　ホットキーボタン
１００　　タグ／記録ボタン
１０２　　４分割スイッチ
１０４　　タグ／記録ボタン上（１２時の位置）部分
１０６　　タグ／記録ボタン右（３時の位置）部分
１０８　　タグ／記録ボタン下（６時の位置）部分
１１０　　タグ／記録ボタン左（９時の位置）部分
２００　　ハウジング
２０２　　背面パネル
２０４　　ファインダ
３００　　ホワイトバランス
３０２　　ＩＳＯ速度
３０４　　ＣＦメモリカード
３０６　　ＭＭ／ＳＤメモリカード
３０８　　ＪＰＥＧ品質
３１０　　生解像度
３１２　　ＪＰＥＧ解像度
３１４　　クロップアスペクト比
４００　　デジタルステータス表示機能
４０２　　メニューオプション
５００　　現在の画像数
５０２　　現在のフォルダ名
５０４　　解像度
【図１】
2004135271.tif 000003
【図２】
2004135271.tif 000004
【図３】
2004135271.tif 000005
【図４】
2004135271.tif 000006
【図５】
2004135271.tif 000007
【図６】
2004135271.tif 000008
【図７】
2004135271.tif 000009
【図８】
2004135271.tif 000010
【図９】
2004135271.tif 000011
【図１０】
2004135271.tif 000012
【図１１】
2004135271.tif 000013
【図１２】
2004135271.tif 000014
【図１３】
2004135271.tif 000015
【図１４】
2004135271.tif 000016
【図１５】
2004135271.tif 000017
【図１６】
2004135271.tif 000018
【図１７】
2004135271.tif 000019
【図１８】
2004135271.tif 000020
【図１９】
2004135271.tif 000021